(57)【要約】【課題】乳幼児の玩具、食卓、食器、調理具等の清拭に綿布巾に代えて使用できるウェットティシューを提供する。【解決手段】エタノール３０〜９０ｗｔ％、クエン酸ナトリウム０．１〜０．５ｗｔ％、乳酸０．１〜０．５ｗｔ％、天然物由来の抽出成分０．１〜０．５ｗｔ％および精製水７０〜１０ｗｔ％からなる薬液を、基布に含浸せしめたことを特徴とするウェットティシュー。【選択図】  図１
2004357877.tif 000002
【特許請求の範囲】
【請求項１】
エタノール３０〜９０ｗｔ％、クエン酸ナトリウム０．１〜０．５ｗｔ％、乳酸０．１〜０．５ｗｔ％、天然物由来の抽出成分０．１〜０．５ｗｔ％および精製水７０〜１０ｗｔ％からなる薬液を、基布に含浸せしめたことを特徴とするウェットティシュー。
【請求項２】
薬液のエタノール濃度が７０ｗｔ％以下の場合に抗菌剤を併用した薬液を用いる請求項１記載のウェットティシュー。
【請求項３】
薬液に香料を添加する請求項１又は２記載のウェットティシュー。
【請求項４】
薬液に酸化防止剤、増粘安定剤および保湿剤の少なくともいずれか１つを添加する請求項１から３までのいずれか１項記載のウェットティシュー。
【請求項５】
基布に対して１００〜３５０ｗｔ％の薬液を含浸せしめる請求項１から４までのいずれか１項記載のウェットティシュー。
【請求項６】
薬液が食品添加物、食品原料および精製水のみで調合されている請求項１から５までのいずれか１項記載のウェットティシュー。
【請求項７】
乳児用の玩具、食卓、食器、またはまな板その他の調理器具の清拭に用いられる請求項１から６までのいずれか１項記載のウェットティシュー。
【発明の詳細な説明】
【０００１】
【発明の属する技術分野】
本発明は乳幼児の玩具、食卓、食器、調理用具等の清拭に使用されるウェットティシューに関する。
【０００２】
【従来の技術】
【特許文献１】特開平５−１５４６８号公報
【特許文献２】特開平１０−５７２９３号公報
【特許文献３】特開平１１−９９０８８号公報
【特許文献４】特開２０００−２３９９６６公報
【０００３】
乳幼児の玩具、食卓、食器、調理器具等の清拭には専ら綿布巾が使用されている。しかし、これらの布巾は雑菌が繁殖しやすく、必ずしも衛生的とはいえない。
一方、アルコールを高濃度配合し、塩化ベンザルコニウム等の化粧品、医薬部外品用殺菌、防かび剤を添加した含浸薬液を不繊布等に含浸したウェットティシューが提案されている。このタイプの製品は、通常使い捨てにされる為、常に衛生的に使用できる利点がある。しかし、塩化ベンザルコニウム等の薬剤は不揮発性であり、被清拭物表面に残留し、食器等を介して人体中に摂取される可能性があり、やや安全性に問題がある。
【０００４】
【発明が解決しようとする課題】
乳幼児の玩具、食卓、食器、調理器具等の清拭に綿布巾に代えて使用できるウェットティシューを提供することを目的とする。
【０００５】
【課題を解決するための手段】
本発明は含浸薬液を食品添加物、食品原料、精製水のみで調合したウェットティシューに係わるものである。
【０００６】
本発明は具体的にはエタノール３０〜９０ｗｔ％、クエン酸ナトリウム０．１〜０．５ｗｔ％、乳酸０．１〜０．５ｗｔ％、天然物由来の抽出成分０．１〜０．５ｗｔ％および精製水７０〜１０ｗｔ％からなる薬液を、基布に含浸せしめたことを特徴とするウェットティシューおよび薬液のエタノール濃度が７０ｗｔ％以下の場合に抗菌剤を併用した薬液を用いるウェットティシューに係わる。
上記のうち、クエン酸ナトリウム（クエン酸三ナトリウム）は医薬、食品用乳化剤、呈味料として用いられる成分であり、また乳酸は医薬品、食品に広く使用されている成分である。
【０００７】
本発明の薬液に添加して用いられる抗菌剤としては安息香酸、安息香酸ナトリウム、オルトフェニルフェノール、オルトフェニルフェノールナトリウム、ソルビン酸、ソルビン酸カリウム、デヒドロ酢酸ナトリウム、パラオキシ安息香酸イソブチル、パラオキシ安息香酸エチル、パラオキシ安息香酸ブチル、パラオキシ安息香酸プロピル等のいずれか１種または２種以上があげられる。
【０００８】
本発明の薬液に添加して用いられる香料としては、α−アミルシンナムアルデヒド、γ−ウンデカラクトン、オイゲノール、オクタノール、ケイ皮酸エチル、ゲラニオール、酢酸イソアミル、酢酸エチル、サリチル酸メチル、γ−ノナラクトン、バニリン、パラメチルアセトフェノン、ヒドロキシシトロネラール、ベンジルアルコール、メチルエチルケトン、ｄｌ−メントール、１−メントール、リナロールのいずれか１種または２種以上があげられる。
【０００９】
その他本発明の薬液には、酸化防止、増粘安定、保湿等の目的で以下の物質を添加してもよい。
エチレンジアミン四酢酸二ナトリウム、γ−オリザノール、ジブチルヒドロキシトルエン、ｄｌ−α−トコフェロール、ブチルヒドロキシアニソール、アラビアガム、アルギン酸ナトリウム、アルギン酸プロピレングリコール、ポリアクリル酸ナトリウム、カルボキシメチルセルロースナトリウム、カラギナン、メチルセルロース、クエン酸等。
【００１０】
本発明の薬液に配合するエタノールは殺菌、消毒、製造用剤として配合されるが、配合量としては３０〜９０ｗｔ％が好ましく更に４０〜７０ｗｔ％が殺菌力と手肌への影響の点で好ましい。
【００１１】
本発明の薬液に配合される天然由来の抽出成分としては、ユーカリ葉抽出液、ローズマリー抽出液、キダチアロエ抽出液、モウソウチク抽出液、ホップ抽出液、アマチャ抽出液、ウコン抽出液、シソ抽出液、チャ抽出液、ステビア等があげられる。これらのうちローズマリー抽出液が好ましい。これは化粧品にも広く使用され抗炎症作用、抗アレルギー作用が認められる。
【００１２】
また本発明に用いられる基布としては、ビスコースレーヨン、銅安レーヨン、リヨセル、コットン、木材パルプ、ポリエステル、ナイロン、アクリル、その他オレフィン系繊維、熱融着性複合繊維等を水流絡合させたスパンレース不繊布が好適に使用できる。また、パルプエアレイド不繊布、スパンボンド不繊布、メルトブローン不繊布、乾式サーマルボンド不繊布、ベンリーゼ（旭化成）、ＴＣＦ（二村化学工業（株））等のシート材料であれば何でも利用可能である。
【００１３】
薬液の基布への含浸条件としては、基布に対して１００〜３５０ｗｔ％の薬液を含浸することが好ましい。含浸倍率が大きすぎるとべたつきの原因となり、小さい時には清拭性能に劣ることとなる。
【００１４】
【発明の効果】
基布の含浸薬液は食品添加物、食品原料、精製水のみで調合されているので、乳幼児の玩具、食卓、食器、まな板等の清拭に安心して使用できる。
【００１５】
【実施例】
以下に本発明の実施例を示すが、これは例示の目的で掲げたもので、これによって本発明を特に限定するものではない。
【００１６】
［実施例１］
繊度１．７デシテックス、繊維長４０ｍｍのレーヨン繊維６０ｗｔ％と、２．２デシテックス、繊維長５１ｍｍのポリプロピレン−ポリエチレン複合熱融着性繊維２０ｗｔ％と繊度１．６デシテックス、繊維長４４ｍｍのＰＥＴ繊維２０ｗｔ％からなるスパンレース不繊布からなる基布に下記薬液を含浸倍率２８０ｗｔ％で含浸し、基布シートを所定の大きさに折りたたみ、１０枚積層して、図１に示すように取出口（１）を穿孔したラミネートフィルム（２）で包装し、再封可能に感圧接着剤を塗布したラベル（３）で取出口（２）を密閉した。
エタノール            ５７．２２ｗｔ％
クエン酸ナトリウム      ０．２５ｗｔ％
乳酸                    ０．２５ｗｔ％
ローズマリー抽出液      ０．１０ｗｔ％
精製水                ４２．１８ｗｔ％
【００１７】
［実施例２］
実施例１と同一の基布、薬液、含浸で作製した所定幅のシートを図２のように巻き取った。この図２のロール状シートをミシン目部（４）から１枚ずつ切り離して取り出すことができるように図３に示すように取出口（５）を形成したキャップ（６）を取り付けたボトル状容器（７）に封入した。
【図面の簡単な説明】
【図１】実施例１の積層ウェットティシューをラミネートフィルムで包装した状態を示した略図である。
【図２】実施例２のロール状ウェットティシューを示す略図である。
【図３】図２のロール状ウェットティシューを収納したボトル状容器の略図である。
【符号の説明】
１…取出口
２…ラミネートフィルム
３…再封可能に感圧接着剤を塗布したラベル
４…ミシン目部
５…取出口
６…キャップ
７…ボトル状容器
【図１】
2004357877.tif 000003
【図２】
2004357877.tif 000004
【図３】
2004357877.tif 000005